(57)【要約】【課題】身体表面の曲面に対するウイング部分のフィット性を改善する。【解決手段】サイドフラップ部ＳＦは、連結テープ１３よりも前側及び連結テープ１３よりも後側に、幅方向中央側かつおむつの内側に折り返されるとともに固定部８２ｂで対向面に固定された折り返し部８２を有し、サイドフラップ部ＳＦにおける一対の折り返し部８２の間に位置し、一対の折り返し部８２にそれぞれ連続する部分が、幅方向中央側に折り返された状態に固定されず、側方に展開可能な拡幅部８１となり、折り返し部８２と拡幅部８１との境界が、連結テープ１３から前側及び後側に離れた位置にあり、連結テープ１３における取付部１３Ｂは拡幅部８１に位置し、展開状態では、拡幅部８１がウイング部分ＷＰとなり、ウイング部分ＷＰは拡幅部８１の展開幅が連結テープ１３側に近づくにつれて大きくなる幅変化部８３を有している。【選択図】図１
2019051244.tif 000002
【特許請求の範囲】
【請求項１】
前後方向中央を含む股間部と、前後方向  中央より前側に延びる腹側部分と、前後方向中央より後側に延びる背側部分とを有し、
前記股間部を含む範囲に内蔵された吸収体を有し、
前記腹側部分から前記背側部分にかけての幅方向両側に、前記吸収体を有しないサイドフラップ部を有し、
少なくとも前記背側部分は、前記股間部よりも幅方向左右両側に延び出たウイング部分を有し、
前記ウイング部分に固定された取付部と、前記取付部から側方に延びるテープ自由部と、このテープ自由部に設けられた前記腹側部分に対する連結部とを有する連結テープを有し、
装着状態では、前記ウイング部分の前記連結テープが前記腹側部分の外面に連結される、テープタイプ使い捨ておむつにおいて、
前記サイドフラップ部は、前記連結テープよりも前側及び前記連結テープよりも後側に、幅方向中央側かつおむつの内側に折り返されるとともに対向面に固定された一対の折り返し部を有しており、
前記サイドフラップ部における前記一対の折り返し部の間に位置し、前記一対の折り返し部にそれぞれ連続する部分が、幅方向中央側に折り返された状態に固定されておらず、側方に展開可能な拡幅部となっており、
前記折り返し部と前記拡幅部との境界が、前記連結テープから前側に離れた位置及び前記連結テープから後側に離れた位置にあり、
前記連結テープにおける前記取付部は、前記拡幅部に位置しており、
展開状態で、前記拡幅部が前記ウイング部分となるとともに、前記ウイング部分は前記連結テープ側に近づくにつれて前記拡幅部の展開幅が大きくなる幅変化部を有している、
ことを特徴とするテープタイプ使い捨ておむつ。
【請求項２】
前記連結テープよりも後側における、前記折り返し部の後端部は幅方向全体にわたり対向面に固定されている、
請求項１記載のテープタイプ使い捨ておむつ。
【請求項３】
前記連結テープよりも前側における前記折り返し部は前記腹側部分の前端まで設けられているとともに、前記折り返し部の前端部は幅方向全体にわたり対向面に固定され、かつ前記折り返し部における前記前端部よりも後側の部分では前後方向に連続的又は間欠的に幅方向中央側の端部のみが対向面に固定されている、
請求項１又は２記載のテープタイプ使い捨ておむつ。
【請求項４】
前記吸収体の裏側を覆う液不透過性シートと、
前記液不透過性シートの裏側を覆う外装シートと、
前記サイドフラップ部を含む領域に固定された付根部分、この付根部分から延び出た突出部分、この突出部分の前後方向両端部が倒伏状態に固定された倒伏部分、及び前記突出部分のうち前後の倒伏部分間に位置する非固定の起き上がり部分を有するギャザーシートと、前記起き上がり部分の少なくとも先端部に固定されたギャザー弾性部材とを有する起き上がりギャザーと、
を備えており、
前記サイドフラップ部には、前記ギャザーシート、前記液不透過性シート、及び前記外装シートが積層されており、
前記折り返し部及び拡幅部が、前記外装シートの側部を含むとともに、前記液不透過性シートを含まず、前記液不透過性シートの側縁が前記折り返し部の折り返し位置より幅方向中央側に位置している、
請求項３記載のテープタイプ使い捨ておむつ。
【請求項５】
前記折り返し部及び拡幅部が、前記ギャザーシートを含まず、前記ギャザーシートの側縁が前記折り返し部の折り返し位置より幅方向中央側に位置している、
請求項４記載のテープタイプ使い捨ておむつ。
【請求項６】
前記ギャザーシートは、前記折り返し部の幅方向中央側の端部までしか延びていない、
請求項５記載のテープタイプ使い捨ておむつ。
【請求項７】
前記連結テープは、前記ウイング部分に固定された取付部と、前記取付部から側方に延びるテープ自由部と、このテープ自由部に設けられた前記腹側部分に対する連結部とを有しており、
両方の連結テープの基端部と重なる部分にわたり、幅方向に伸縮するウエスト伸縮シートが設けられている、
請求項６記載のテープタイプ使い捨ておむつ。
【請求項８】
前記連結テープは、拡幅部における展開状態で外面となる面に固定されている、
請求項４〜７のいずれか１項に記載のテープタイプ使い捨ておむつ。
【発明の詳細な説明】
【技術分野】
【０００１】
本発明は、テープタイプの使い捨ておむつに関するものである。
【背景技術】
【０００２】
使い捨ておむつには、主にテープタイプ、パンツタイプ、パッドタイプの三種類がある。このうち、テープタイプの使い捨ておむつは、展開状態で身体にあてがった後、背側部分の左右両側に設けられた連結部を腹側部分の外面に連結することにより装着を行うものである。
【０００３】
一般的なテープタイプ使い捨ておむつは、前後方向中央を含む股間部と、前後方向  中央より前側に延びる腹側部分と、前後方向中央より後側に延びる背側部分を有し、少なくとも背側部分は、股間部よりも幅方向左右両側に延び出たウイング部分を有し、腹側部分及び背側部分は左右のウイング部分の間に位置する中間部分を有し、ウイング部分は腹側部分の外面に着脱可能に連結される連結部を有している。使用時には、ウイング部分を腰の両側から腹側部分の外面に回して、ウイング部分の連結部を腹側部分の外面に連結する。このようなテープタイプ使い捨ておむつは、乳幼児向けとして用いられる他、介護用途（成人用途）で広く使用されている。
【０００４】
従来、テープタイプ使い捨ておむつとしては、吸収体の側縁より側方に延び出たサイドフラップ部が脚周りに沿うように切除され、未切除の部分がウイング部分として残された一体型（例えば特許文献１参照）のほか、中間部分を形成する本体の側縁に、別途製造された連結テープが取り付けられ、この連結テープがウイング部分となる別体型（例えば特許文献２、３参照）が知られている。また、別体型としては、中間部分を形成する本体に、左右のウイング部分を含むユニットを取り付けたものも提案されている（例えば特許文献４参照）。
【０００５】
他方、ウイング部分は、身体表面の曲面（通常、腸骨稜に沿う部分の曲面）に当たる部分であるため、この曲面に対するフィット性に優れることが望ましい。
【０００６】
しかしながら、従来のウイング部分は展開状態で平坦であるため、弾性部材により幅方向等の伸縮性を付加すればフィット性が向上するとしても、曲面の頂点に対する接触圧が高くなり、この点でフィット性に改善の余地がある。
【先行技術文献】
【特許文献】
【０００７】
【特許文献１】特開２０１６−１７４８１６号公報
【特許文献２】特開２０１０−２２５５０号公報
【特許文献３】特開２０１１−１３９８３８号公報
【特許文献４】特開２０１１−７２７３６号公報
【発明の概要】
【発明が解決しようとする課題】
【０００８】
そこで、本発明の主たる課題は、ウイング部分の身体表面に対するフィット性を改善することにある。
【課題を解決するための手段】
【０００９】
上記課題を解決した各種態様は以下のとおりである。
＜第１の態様＞
前後方向中央を含む股間部と、前後方向  中央より前側に延びる腹側部分と、前後方向中央より後側に延びる背側部分とを有し、
前記股間部を含む範囲に内蔵された吸収体を有し、
前記腹側部分から前記背側部分にかけての幅方向両側に、前記吸収体を有しないサイドフラップ部を有し、
少なくとも前記背側部分は、前記股間部よりも幅方向左右両側に延び出たウイング部分を有し、
前記ウイング部分に固定された取付部と、前記取付部から側方に延びるテープ自由部と、このテープ自由部に設けられた前記腹側部分に対する連結部とを有する連結テープを有し、
装着状態では、前記ウイング部分の前記連結テープが前記腹側部分の外面に連結される、テープタイプ使い捨ておむつにおいて、
前記サイドフラップ部は、前記連結テープよりも前側及び前記連結テープよりも後側に、幅方向中央側かつおむつの内側に折り返されるとともに対向面に固定された一対の折り返し部を有しており、
前記サイドフラップ部における前記一対の折り返し部の間に位置し、前記一対の折り返し部にそれぞれ連続する部分が、幅方向中央側に折り返された状態に固定されておらず、側方に展開可能な拡幅部となっており、
前記折り返し部と前記拡幅部との境界が、前記連結テープから前側に離れた位置及び前記連結テープから後側に離れた位置にあり、
前記連結テープにおける前記取付部は、前記拡幅部に位置しており、
展開状態で、前記拡幅部が前記ウイング部分となるとともに、前記ウイング部分は前記連結テープ側に近づくにつれて前記拡幅部の展開幅が大きくなる幅変化部を有している、
ことを特徴とするテープタイプ使い捨ておむつ。
【００１０】
（作用効果）
本態様では、連結テープの前後両側に折り返し部を設けるとともに、これら折り返し部の間を拡幅部とすることにより、連結テープを側方に引っ張って展開としたとき、ウイング部分の内面が緩やかに窪むように変形し、身体表面の曲面（特に、腸骨稜に沿う部分の曲面）に対して良好にフィットし、曲面の頂点に対する接触圧が高くなりにくい。
また、サイドフラップ部に折り返し部及び拡幅部を設けることにより、ウイング部分が形成されるため、一体型でありながら、ウイング部分を形成するために切除を行う必要はない。しかも、ウイング部分は脚周り側にウエスト側に向かうにつれて拡幅部の展開幅が大きくなる幅変化部を有することとなる。この幅変化部の側縁は側方に向かって斜め上向きとなるため、ウイング部分の脚周り側の側縁は、脚周りに沿うようになり、脚周りに対するフィット性が良好となるとともに、臀部をより広範囲に被覆できるものとなる。
【００１１】
＜第２の態様＞
前記連結テープよりも後側における、前記折り返し部の後端部は幅方向全体にわたり対向面に固定されている、
第１の態様のテープタイプ使い捨ておむつ。
【００１２】
（作用効果）
本態様では、ウイング部分の内面の窪み部分から続く折り返し部の後端が塞がれることとなるため、このウイング部分の窪み部分で漏れ出た排泄物を捕獲し、使い捨ておむつの外部への漏れ出しを防止できる。
【００１３】
＜第３の態様＞
前記連結テープよりも前側における前記折り返し部は前記腹側部分の前端まで設けられているとともに、前記折り返し部の前端部は幅方向全体にわたり対向面に固定され、かつ前記折り返し部における前記前端部よりも後側の部分では前後方向に連続的又は間欠的に幅方向中央側の端部のみが対向面に固定されている、
第１又は２の態様のテープタイプ使い捨ておむつ。
【００１４】
（作用効果）
サイドフラップ部に折り返し部を設けるために、折り返し部の全体を対向面に固定すると、サイドフラップ部の柔軟性が損なわれるおそれがある。一方、折り返し部の幅方向中央側の端部のみを対向面に固定すると、前端部が開口して見栄えが悪化するおそれがある。よって、本態様のように構成されていると好ましい。
【００１５】
＜第４の態様＞
前記吸収体の裏側を覆う液不透過性シートと、
前記液不透過性シートの裏側を覆う外装シートと、
前記サイドフラップ部を含む領域に固定された付根部分、この付根部分から延び出た突出部分、この突出部分の前後方向両端部が倒伏状態に固定された倒伏部分、及び前記突出部分のうち前後の倒伏部分間に位置する非固定の起き上がり部分を有するギャザーシートと、前記起き上がり部分の少なくとも先端部に固定されたギャザー弾性部材とを有する起き上がりギャザーと、
を備えており、
前記サイドフラップ部には、前記ギャザーシート、前記液不透過性シート、及び前記外装シートが積層されており、
前記折り返し部及び拡幅部が、前記外装シートの側部を含むとともに、前記液不透過性シートを含まず、前記液不透過性シートの側縁が前記折り返し部の折り返し位置より幅方向中央側に位置している、
第３の態様のテープタイプ使い捨ておむつ。
【００１６】
（作用効果）
サイドフラップ部の構造が本態様のように構成されている場合、折り返し部及び拡幅部に液不透過性シートを含まないことにより、サイドフラップ部におけるシート積層数の増加、つまり通気性及び柔軟性の低下を抑制することができる。
【００１７】
＜第５の態様＞
前記折り返し部及び拡幅部が、前記ギャザーシートを含まず、前記ギャザーシートの側縁が前記折り返し部の折り返し位置より幅方向中央側に位置している、
第４の態様のテープタイプ使い捨ておむつ。
【００１８】
（作用効果）
本態様のように、折り返し部及び拡幅部に液不透過性シートだけでなく、ギャザーシートも含まないことにより、サイドフラップ部の通気性及び柔軟性の低下をさらに抑制することができる。
【００１９】
＜第６の態様＞
前記ギャザーシートは、前記折り返し部の幅方向中央側の端部までしか延びていない、
第５の態様のテープタイプ使い捨ておむつ。
【００２０】
（作用効果）
本態様のように、ギャザーシートの幅を狭くすることにより、サイドフラップ部の柔軟性をさらに向上させることができる。
【００２１】
＜第７の態様＞
前記連結テープは、前記ウイング部分に固定された取付部と、前記取付部から側方に延びるテープ自由部と、このテープ自由部に設けられた前記腹側部分に対する連結部とを有しており、
両方の連結テープの基端部と重なる部分にわたり、幅方向に伸縮するウエスト伸縮シートが設けられている、
第６の態様のテープタイプ使い捨ておむつ。
【００２２】
（作用効果）
前述のように、ギャザーシートの幅を狭くすると、連結テープの固定部が外装シートのみからなる部分に位置しやすくなる。この場合、連結テープの固定部の強度が問題となるおそれがある。この問題は、外装シートに強度の高い素材を用いることで解決できるが、強度の高い素材は柔軟性に劣るものが多いため、布のような外観及び柔軟な肌触りを得るという外装シートの本来の目的を考慮すると好ましい解決策ではない。これに対して、本態様のように、両方の連結テープの取付部と重なるようにウエスト伸縮シートが配置されていると、使用時に力が加わる部分、特に連結テープの基端部を取り付ける部分の強度をウエスト伸縮シートにより補うことができる。また、連結テープに集中する装着状態での締め付け力や、装着の際の引張力がウエスト伸縮シートに直接的に伝わるため、ウエスト伸縮シートの伸縮性がより好適に発揮される。
【００２３】
＜第８の態様＞
前記連結テープは、拡幅部における展開状態で外面となる面に固定されている、
第４〜７のいずれか１つの態様のテープタイプ使い捨ておむつ。
【００２４】
（作用効果）
連結テープは、拡幅部における展開状態で内面となる面に固定することもできるが、連結テープの素材によっては肌触りが悪化するおそれがあるため、本態様のように拡幅部における展開状態で外面となる面に固定するのも好ましい。
【発明の効果】
【００２５】
以上のとおり、本発明によれば、ウイング部分が身体表面の曲面に対して良好にフィットするようになる、等の利点がもたらされる。
【図面の簡単な説明】
【００２６】
【図１】展開状態のテープタイプ使い捨ておむつの内面を示す、平面図である。
【図２】展開状態のテープタイプ使い捨ておむつの外面を示す、平面図である。
【図３】図１の５−５線断面図である。
【図４】図１の６−６線断面図である。
【図５】（ａ）図１の７−７線断面図、（ｂ）図１の８−８線断面図である。
【図６】（ａ）ウエスト伸縮シートの平面図、（ｂ）ウエスト伸縮シートの断面図である。
【図７】（ａ）連結テープの平面図、（ｂ）連結テープの断面図
【図８】図３の要部拡大図である。
【図９】図１の９−９線断面図である。
【図１０】連結テープを開いた状態の要部を示す断面図である。
【図１１】装着状態を示す正面図である
【図１２】他の形態を示す折り返し部の断面図である。
【図１３】他の形態を示す折り返し部の断面図である。
【図１４】他の形態を示す拡幅部の断面図である。
【図１５】他の形態を示す拡幅部の断面図である。
【図１６】展開状態のテープタイプ使い捨ておむつの内面を示す、平面図である。
【図１７】製造時の変化を示す平面図である。
【図１８】（ａ）連結テープの平面図、（ｂ）連結テープの断面図
【図１９】展開状態のテープタイプ使い捨ておむつの内面を示す、平面図である。
【図２０】展開状態のテープタイプ使い捨ておむつの外面を示す、平面図である。
【発明を実施するための形態】
【００２７】
以下、本発明の一実施形態について添付図面を参照しつつ説明する。なお、断面図における点模様部分は各構成部材を接合する接合手段としての接着剤を示しており、ホットメルト接着剤などのベタ、ビード、カーテン、サミット若しくはスパイラル塗布などにより、また弾性伸縮部材の固定部分はこれに代えて又はこれとともにコームガンやシュアラップ塗布などの弾性伸縮部材の外周面への塗布により形成されるものである。各構成部材を接合する接合手段としては、ホットメルト接着剤に代えて、他の接着剤を用いたり、ヒートシールや超音波シール等の溶着手段を用いることもできる。
【００２８】
図１〜図１１はテープタイプ使い捨ておむつ１０の一例を示している。このテープタイプ使い捨ておむつ１０は、前後方向中央を含む股間部と、前後方向中央より前側に延びる腹側部分Ｆと、前後方向中央より後側に延びる背側部分Ｂとを有しており、股間部を含む範囲に吸収体５６が内蔵されている。腹側部分Ｆから背側部分Ｂにかけての幅方向両側には、吸収体５６を有しないサイドフラップ部ＳＦが形成されるとともに、背側部分Ｂには、股間部よりも左右両側に延び出たウイング部分ＷＰが形成されている。そして、背側部分Ｂのウイング部分ＷＰは、腹側部分Ｆの外面に着脱可能に連結される連結テープ１３を有しており、装着状態では、例えば図１１に示すように、ウイング部分ＷＰの連結テープ１３が腹側部分Ｆの外面に連結される。図１９及び図２０に示すように、腹側部分Ｆにも、股間部よりも左右両側に延び出たウイング部分ＷＰを形成し、サイドフラップ部ＳＦの側縁が脚周りに沿うように前後方向ＬＤの中間がくびれた形状とすることもできる。なお、股間部とは装着者の股間と対応する部分を意味し、通常の場合、展開状態のテープタイプ使い捨ておむつ１０を前後方向ＬＤに三等分したときの中央の部分である。
【００２９】
より詳細には、本例のテープタイプ使い捨ておむつ１０は、吸収体５６と対応する幅方向範囲として定まる本体部ＭＰと、本体部ＭＰの幅方向両側に延びるサイドフラップ部ＳＦとを有している。本体部ＭＰは、吸収体５６と、吸収体５６の表側を被覆する液透過性のトップシート３０と、吸収体５６の裏側を被覆する液不透過性シート１１とを有しており、また、吸収体５６よりも前側及び後側に延びる、吸収体５６を有しないエンドフラップ部ＥＦを有している。トップシート３０及び液不透過性シート１１は、左右のサイドフラップ部ＳＦ及び前後のエンドフラップ部ＥＦまで延びており、液不透過性シート１１の裏面を覆う外装シート１２が、テープタイプ使い捨ておむつ１０の裏面全体を形成している。
【００３０】
さらに、テープタイプ使い捨ておむつ１０の表面における幅方向ＷＤの両側には、装着者の肌側に立ち上がる起き上がりギャザー６０が設けられており、この起き上がりギャザー６０を形成するギャザーシート６２が、トップシート３０の両側部から各サイドフラップ部ＳＦまで延在されている。
【００３１】
以下、各部の素材及び特徴部分について順に説明する。
（外装シート）
外装シート１２は、使い捨ておむつ１０の裏面を布のような肌触り・外観とするために設けられる。外装シート１２としては不織布が好適であるが、これに限定されない。不織布の種類は特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１３〜３０ｇ／ｍ2のものが望ましい。外装シート１２は省略することもでき、その場合、使い捨ておむつ１０の裏面に液不透過性シート１１が露出する形態とすることができる。
【００３２】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、この他にも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂又は疎水性樹脂や撥水剤の塗工といった方法により、防水フィルムを用いずに液不透過性としたシートも、液不透過性シート１１として用いることができる。
【００３３】
図示例の液不透過性シート１１は、長方形をなしており、トップシート３０よりも幅が若干広く、外装シート１２より幅が狭くなっているが、これに限定されず、液不透過性シート１１は外装シート１２と同じ幅とするなど、適宜変更することができる。
【００３４】
（トップシート）
トップシート３０としては液透過性を有するもの、例えば、有孔又は無孔の不織布や、多孔性プラスチックシートなどを用いることができる。不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３５】
トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３６】
図示例のトップシート３０は、吸収体５６の側縁よりも側方に延びているが、これに限定されず、外装シート１２の側縁まで延びていてもよく、また起き上がりギャザー６０を有する形態では起き上がりギャザー６０の付根部分まで延びていれば、吸収体５６の側縁よりも幅方向内側までしか延びていなくてもよいなど、適宜変更することができる。
【００３７】
（中間シート）
トップシート３０を透過した排泄物を吸収体へ移動させ、逆戻りを防ぐために、トップシート３０と吸収要素５０との間に中間シート（セカンドシートともいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０の表面の肌触りを良くするものである。中間シート４０は省略することもできる。
【００３８】
中間シート４０の素材は特に限定されず、例えばトップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生しにくいが、便の固形分が透過し難くなる。よって、中間シート４０に用いる不織布の繊維は繊度が２．０〜５．０ｄｔｅｘ程度とするのが好ましい。なお、中間シート４０はポリエチレンなどのフィルム素材に多数の細孔を設けたメッシュフィルムなどとすることも可能である。
【００３９】
図示の形態の中間シート４０は、吸収要素５０の幅より短く中央に配置されているが、全幅にわたって設けてもよい。中間シート４０の長手方向長さは、おむつ１０の全長と同一でもよいし、吸収要素５０の長さと同一でもよいし、液を受け入れる領域を中心にした短い長さ範囲内であってもよい。
【００４０】
（吸収要素）
吸収要素５０は、尿や軟便などの液を吸収保持する部分であり、図示例では吸収体５６と、この吸収体５６の全体を包む包装シート５８とを有するものとなっている。吸収体５６が形状維持性に優れる場合等、必要に応じて包装シート５８は省略することもでき、その場合、吸収要素５０は吸収体５６のみからなる。吸収要素５０は、その裏面においてホットメルト接着剤等の接着剤を介して液不透過性シート１１の内面に接着することができる。
【００４１】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いることができる。吸収体５６中には高吸収性ポリマー粒子を分散保持させるのが好ましい。
【００４２】
吸収体５６は図示例のように長方形形状とする他、前後方向中間に、その前後両側よりも幅が狭い括れ部を有する砂時計形状とすると、脚周りへのフィット性が向上するため好ましい。
【００４３】
また、吸収体５６の寸法は排尿口位置の前後左右にわたる限り適宜定めることができるが、前後方向ＬＤ及び幅方向ＷＤにおいて、テープタイプ使い捨ておむつ１０の周縁近傍まで延在しているのが好ましい。なお、符号５６Ｘは吸収体５６の全幅を示し、符号１０Ｘはテープタイプ使い捨ておむつ１０の全幅を示し、符号１０Ｌはテープタイプ使い捨ておむつ１０の全長（図示形態ではおむつ１０の全長に等しい）を示している。
【００４４】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００４５】
高吸収性ポリマー粒子の材料としては、特に限定なく用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００４６】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう現象（いわゆる逆戻り）を発生しやすくなる。
【００４７】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００４８】
高吸収性ポリマー粒子の目付け量は、当該吸収体５６の用途で要求される吸収量に応じて適宜定めることができる。したがって一概にはいえないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００４９】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５０】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、かつその前後縁部を吸収体５６の前後からはみ出させ、巻き重なる部分及び前後はみ出し部分の重なり部分をホットメルト接着剤、素材溶着等の接合手段により接合する形態が好ましい。
【００５１】
（サイドギャザー）
図１〜図３に示すように、脚周り部分のフィット性を向上させるために、サイドフラップ部ＳＦの前後方向中間におけるシート層間に、前後方向ＬＤに延びるサイド弾性部材７０が設けられており、このサイド弾性部材７０の伸縮により、サイド弾性部材７０を有する部分が前後方向ＬＤに伸縮するようになっていると好ましい。サイド弾性部材７０は、例えば図８に示すようにギャザーシート６２と液不透過性シート１１との間に設けたり、図１２に示すように後述する折り返し部８２と液不透過性シート１１との間に設けたり、図１３に示すように、折り返し部８２が複数のシート層を有する場合には、それらのシート層の間（図示例はギャザーシート６２と外装シート１２との間）に設けたりすることができる。
【００５２】
（起き上がりギャザー）
トップシート３０上を横方向に移動する尿や軟便を遮り、横漏れを防止するために、使い捨ておむつ１０の表面の幅方向ＷＤの両側には、トップシート３０の側部から肌側に立ち上がる（突出する）起き上がりギャザー６０が前後方向全体にわたり設けられている。
【００５３】
図示例の起き上がりギャザー６０は、サイドフラップ部ＳＦを含む領域に固定された付根部分６５と、この付根部分６５から延び出た突出部分６６と、この突出部分の前後方向両端部が倒伏状態に固定された倒伏部分６７と、突出部分６６のうち前後の倒伏部分間に位置する非固定の起き上がり部分６８と、この起き上がり部分６８の少なくとも先端部に、前後方向に伸張した状態で固定されたギャザー弾性部材６３とを有している。起き上がりギャザー６０は、先端で折り返されたギャザーシート６２により形成されており、ギャザーシート６２としては撥水性不織布を用いることができ、またギャザー弾性部材６３としては糸ゴム等の細長状の弾性部材を用いることができる。ギャザー弾性部材６３は、図１〜図３に示すように各複数本、間隔を空けて設ける他、各１本設けることができる。ギャザー弾性部材６３を有する部分の伸長率は特に限定されないが、通常の場合１５０〜３５０％が好ましく、２００〜３００％がより好ましい。
【００５４】
図示例の起き上がりギャザー６０の付根部分６５は、サイドフラップ部ＳＦにのみ設けられており、液不透過性シート１１の側部及び外装シート１２の側部に接合されているが、サイドフラップ部ＳＦから吸収体５６と重なる領域の側部まで延びていてもよい。
【００５５】
起き上がりギャザー６０の突出部分６６は、前後方向ＬＤの両端部が倒伏部分６７となっているものの、その間の部分は非固定の起き上がり部分６８とされており、この起き上がり部分６８がギャザー弾性部材６３の収縮力により起立するようになる。おむつ１０の装着時には、おむつ１０が舟形に体に装着されるので、そしてギャザー弾性部材６３の収縮力が作用するので、ギャザー弾性部材６３の収縮力により起き上がりギャザー６０が立ち上がり、脚周りに弾力的に密着する。その結果、脚周りからのいわゆる横漏れが防止される。
【００５６】
（ウエスト伸縮シート）
背側部分Ｂには帯状のウエスト伸縮シート９０が設けられ、背側部分Ｂが幅方向ＷＤに弾性伸縮するものとなっていると好ましい。ウエスト伸縮シート９０は、例えば図６に示すにように幅方向ＷＤの両端部が非伸縮領域９６となっているとともに、これら非伸縮領域９６の間の部分は、幅方向ＷＤに伸縮する中間伸縮領域９５となっていてもよい。ウエスト伸縮シート９０は、エンドフラップ部ＥＦにのみ位置していてもよいが、図示例のようにエンドフラップ部ＥＦから吸収体５６の後端部までにわたるように配置されていると、吸収体５６の後端部がしっかりと体に押し当てられるため、好ましい。
【００５７】
ウエスト伸縮シート９０は、ゴムシート等のシート状弾性部材を用いても良いが、通気性の観点から不織布を用いるのが好ましい。この場合、伸縮不織布のような通気性を有するシート状弾性部材を用いることもできるが、図６に示すように、二枚の不織布等のシート層９１をホットメルト接着剤等の接着剤により貼り合わせるとともに、両シート層９１間に有孔のシート状、網状、細長状（糸状又は紐状等）等の弾性部材９２を幅方向ＷＤに沿って伸長した状態で固定したものが好適に用いられる。この場合におけるシート層９１の素材としては、外装シート１２と同様のものを用いることができる。弾性部材９２の伸長率は１５０〜２５０％程度であるのが好ましい。また、弾性部材９２として細長状（糸状又は紐状等）のものを用いる場合、太さ４２０〜１１２０ｄｔｅｘのものを３〜１０ｍｍの前後方向間隔で５〜１５本程度設けるのが好ましい。
【００５８】
ウエスト伸縮シート９０の幅は適宜定めることができるが、図示例のように、左右のサイドフラップ部ＳＦ間にわたる幅となっていることが好ましく、特に左右のウイング部分ＷＰ間にわたる幅となっていることが好ましい。
【００５９】
ウエスト伸縮シート９０における中間伸縮領域９５及び非伸縮領域９６の寸法は適宜定めることができるが、中間伸縮領域９５の幅は後述する左右の連結テープ１３の連結部１３Ａ間の幅の３０〜１００％とすることが好ましく、非伸縮領域９６の幅は取付け時の縮みやめくれ防止のため５〜２０ｍｍ程度とすることが好ましい。非伸縮領域９６は弾性部材９２を有しない領域としてもよいが、特許文献３記載のように、中間伸縮領域９５及び非伸縮領域９６にわたり弾性部材９２を取り付けるとともに、非伸縮領域９６では弾性部材９２を切断する等により、非伸縮領域９６に弾性部材９２が残留するもののほとんど又は全く伸縮しない構造としてもよい。
【００６０】
また、弾性部材９２の一部が吸収体５６を横断するように配置することもできるが、図６に示すように、弾性部材９２が吸収体５６と重なる部分の一部又は全部を切断する等により、弾性部材９２が残留するもののほとんど又は全く伸縮しない構造とすると、吸収体５６の後端部が幅方向に縮まないため、フィット性がさらに向上する。
【００６１】
ウエスト伸縮シート９０は、図示形態では、液不透過性シート１１と吸収要素５０との間に配置されているが、この配置に特に限定されるものではない。例えば、ウエスト伸縮シート９０は液不透過性シート１１と外装シート１２との間に配置されていてもよいし、外装シート１２の外側に設けてもよい。また、外装シート１２を複数枚のシート層を重ねて形成する場合には、ウエスト伸縮シート９０全体を、外装シート１２のシート層間に設けても良い。
【００６２】
（連結テープ）
連結テープ１３は、ウイング部分ＷＰに設けられるものであり、図７にも示すように、ウイング部分ＷＰに取り付けられた取付部１３Ｂと、取付部１３Ｂから側方に延びるテープ自由部１３Ｆと、このテープ自由部１３Ｆに設けられた、腹側部分Ｆの外面に対して着脱可能に連結される連結部１３Ａとを有している。
【００６３】
連結テープ１３の連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。おむつ１０の装着に際しては、連結テープ１３を腰の両側から腹側部分Ｆの外面に回して、連結テープ１３の連結部１３Ａを腹側部分Ｆ外面の適所に連結する。
【００６４】
連結テープ１３としては、図７に示すように、伸縮領域を有しない非伸縮タイプ（タブタイプ）だけでなく、図１８に示すように、少なくとも取付部１３Ｂと連結部１３Ａとの間の部分が幅方向ＷＤに伸縮するテープ伸縮領域１３Ｅを有する伸縮タイプ（サイドパネルタイプ）を採用することもできる。
【００６５】
非伸縮タイプの連結テープ１３の構造は特に限定されるものではなく、公知のものを採用することができる。図示例の非伸縮タイプの連結テープ１３は、側方に突出可能な部分を有する支持片１３Ｃと、この支持片１３Ｃにおける突出可能な部分に設けられた連結部１３Ａとを有するものである。支持片１３Ｃの素材としては、不織布、プラスチックフィルム、ポリラミ不織布、紙やこれらの複合素材等、特に限定なく公知の素材を使用できるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００６６】
伸縮タイプの連結テープ１３におけるテープ伸縮領域１３Ｅの伸長率は特に限定されないが、１５０〜２５０％程度であるのが好ましい。テープ伸縮領域１３Ｅの構造は特に限定されるものではなく、例えばゴムシートや伸縮不織布等のようにそれ自体で弾性を有するシートを用いて、連結テープにおける少なくともテープ伸縮領域１３Ｅを形成することもできる。また、図１８にも例示するように、二枚の不織布等のシート層１３Ｓをホットメルト接着剤等の接着剤により貼り合わせるとともに、両シート層１３Ｓ間に有孔のシート状、網状、細長状（糸状又は紐状等）等の弾性部材１３Ｇを幅方向ＷＤに沿って伸張した状態で固定したものを用いて、連結テープ１３の少なくともテープ伸縮領域１３Ｅを形成するのも好適である。このようにシート層１３Ｓに複数本の細長状の弾性部材１３Ｇを間隔を空けて取り付けたものは、使い捨ておむつ１０の技術分野では汎用されているため製造が容易であるだけでなく、弾性部材１３Ｇの太さ、本数、伸長率、間隔、及び素材の種類を異ならしめることにより、連結テープ１３の収縮特性を容易に調整できる利点もある。この場合におけるシート層１３Ｓの素材としては、外装シート１２と同様のものを用いることができる。また、弾性部材１３Ｇとして細長状（糸状又は紐状等）のものを用いる場合、例えば太さ４２０〜１１２０ｄｔｅｘのものを３〜１０ｍｍの前後方向間隔で５〜１５本程度設けることができる。
【００６７】
テープ伸縮領域１３Ｅは、少なくとも取付部１３Ｂと連結部１３Ａとの間の部分に設けられる限り、連結テープ１３の幅方向ＷＤの全体にわたり（つまり取付部１３Ｂ及び連結部１３Ａを含む）設けられていてもよいが、取付部１３Ｂや連結部１３Ａが収縮すると、連結部１３Ａの連結が不十分になるおそれや、取付部１３Ｂの接合不良が発生するおそれがあるため、取付部１３Ｂと連結部１３Ａとの間の幅方向範囲の０〜８０％の範囲に設けられていることが好ましい。この場合、取付部１３Ｂ及び連結部１３Ａは弾性部材１３Ｇを有しない領域としてもよいが、連結テープ１３の幅方向全体にわたり弾性部材１３Ｇを取り付けるとともに、取付部１３Ｂ及び連結部１３Ａでは弾性部材１３Ｇを切断する等により、取付部１３Ｂ及び連結部１３Ａに弾性部材１３Ｇが残留するもののほとんど又は全く伸縮しない構造としてもよい。
【００６８】
伸縮タイプの連結テープ１３における連結部１３Ａは、テープ伸縮領域１３Ｅを構成するシート層１３Ｓに設けることもできるが、図示例のように連結テープ１３の先端部にテープ伸縮領域１３Ｅの先端から突出する支持片１３Ｃを取付け、この支持片１３Ｃに連結部１３Ａを設けると、製造が容易であるため好ましい。支持片１３Ｃは、幅方向中間に連結部１３Ａを有し、先端部が連結部１３Ａを有しない摘み部となっていることが望ましい。支持片１３Ｃの形状は適宜定めることができ、図示例では先端に向かうにつれて前後方向長さが短くなっており、この前後方向長さが短くなった部分に連結部１３Ａを有しているが、矩形状とすることもできる。支持片１３Ｃを矩形状とする場合、テープ伸縮領域１３Ｅを構成するシート層１３Ｓよりも前後方向長さが短いことが好ましい。支持片１３Ｃの素材としては非伸縮タイプのものと同様のものを用いることができる。
【００６９】
伸縮タイプの連結テープ１３の形状は適宜定めることができ、テープ伸縮領域１３Ｅが図示例のような矩形であると製造が容易であるため好ましいが、テープ伸縮領域１３Ｅが先端側に向かうにつれて前後方向ＬＤの長さ短くなる台形とすることもできる。伸縮タイプの連結テープ１３の寸法は適宜定めることができるが、テープ伸縮領域１３Ｅの前後方向ＬＤの長さは２０〜１００ｍｍ程度であることが好ましく、テープ伸縮領域１３Ｅの幅方向ＷＤの長さは０〜９０ｍｍ程度であることが好ましい。
【００７０】
（ターゲットシート）
腹側部分Ｆにおける連結テープ１３の連結箇所には、連結を容易にするためのターゲットを有するターゲットシート２０を設けるのが好ましい。ターゲットシート２０は、連結部１３Ａがフック材の場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおける連結テープ１３の連結箇所が不織布からなる場合、例えば図示形態の外装シート１２が不織布からなる場合であって、連結テープ１３の連結部１３Ａがフック材の場合には、ターゲットシート２０を省略し、フック材を外装シート１２の不織布に絡ませて連結することもできる。この場合、ターゲットシート２０を外装シート１２と液不透過性シート１１との間に設けてもよい。
【００７１】
（拡幅部・幅変化部）
特徴的には図１、図８及び図９に示すように、本テープタイプ使い捨ておむつ１０のサイドフラップ部ＳＦは、連結テープ１３よりも前側及び連結テープ１３よりも後側に、幅方向中央側かつおむつの内側に折り返されるとともに固定部８２ｂで対向面に固定された折り返し部８２を有しており、サイドフラップ部ＳＦにおける一対の折り返し部８２の間に位置し、一対の折り返し部８２にそれぞれ連続する部分が、幅方向中央側に折り返された状態に固定されておらず、側方に展開可能な拡幅部８１となっている。また、折り返し部８２と拡幅部８１との境界が、連結テープ１３から前側に離れた位置及び連結テープ１３から後側に離れた位置にある。さらに、連結テープ１３における取付部１３Ｂは拡幅部８１に位置している。この結果、展開状態では、拡幅部８１がウイング部分ＷＰとなるとともに、ウイング部分ＷＰは拡幅部８１の展開幅が連結テープ１３側に近づくにつれて大きくなる幅変化部８３を有することとなる。
【００７２】
本テープタイプ使い捨ておむつは、このような構造を有していることにより、図１１に示すように、連結テープ１３を側方に引っ張って展開としたとき、ウイング部分ＷＰの内面が緩やかに窪む（窪み部分ＲＰ）ように変形し、身体表面の曲面（特に、腸骨稜に沿う部分の曲面）に対して良好にフィットし、曲面の頂点に対する接触圧が高くなりにくい。また、サイドフラップ部ＳＦに折り返し部８２及び拡幅部８１を設けることにより、ウイング部分ＷＰが形成されるため、一体型でありながら、ウイング部分ＷＰを形成するために切除を行う必要はない。しかも、ウイング部分ＷＰは脚周り側にウエスト側に向かうにつれて拡幅部８１の展開幅が大きくなる幅変化部８３を有することとなる。この幅変化部８３の側縁は側方に向かって斜め上向きとなるため、ウイング部分ＷＰの脚周り側の側縁は、脚周りに沿うようになり、脚周りに対するフィット性が良好となるとともに、臀部をより広範囲に被覆できるものとなる。
【００７３】
折り返し部８２の幅Ｗ１、及び拡幅部８１の前後方向長さ（連結テープ１３の前後両側に隣接する固定部８２ｂの前後方向間隔）Ｌ１は、幅変化部８３の位置や拡幅部８１の側縁の傾斜に影響するため、これを考慮して定めることが好ましい。通常の場合、折り返し部８２の幅Ｗ１は、拡幅部８１の前後方向長さＬ１の０．６〜０．７５倍程度であることが好ましい。より具体的には、乳幼児用の場合、折り返し部８２の幅Ｗ１は４５〜６０ｍｍ程度であることが好ましく、拡幅部８１の前後方向長さＬ１は６０〜１００ｍｍ程度であることが好ましい。
【００７４】
図１及び図２に示す例では、折り返し部８２は腹側部分Ｆの前端まで設けられており、その結果として腹側部分Ｆにはウイング部分ＷＰが形成されていないが、背側部分Ｂと同様にウイング部分ＷＰを形成してもよい。すなわち、図１９及び図２０に示すように、腹側部分Ｆの前後方向中間（例えばターゲットテープを含む前後方向範囲）に拡幅部８１を有するように構成してもよい。
【００７５】
折り返し部８２は、少なくとも幅方向中央側の端部（固定部８２ｂ）を固定する限り、その全体を対向面に固定してもよいが、サイドフラップ部ＳＦの柔軟性が損なわれるおそれがある。一方、図１に示す例の固定部８２ｂのように、折り返し部８２の幅方向中央側の端部のみを対向面に固定してもよい。しかし、連結テープ１３よりも後側における折り返し部８２の後端部８２ｃは幅方向全体にわたり対向面に固定されていると、ウイング部分ＷＰの内面の窪み部分ＲＰから続く折り返し部８２の後端が塞がれることとなるため、このウイング部分ＷＰの窪み部分ＲＰで漏れ出た排泄物を捕獲し、使い捨ておむつの外部への漏れ出しを防止できる。また、連結テープ１３よりも前側における折り返し部８２を腹側部分Ｆの前端まで設ける場合、折り返し部８２の前端部が開口して見栄えが悪化するおそれがある。よって、図１６に示す例の固定部８２ｂのように、折り返し部８２の前端部８２ｆは幅方向ＷＤの全体にわたり対向面に固定され、かつ折り返し部８２における前端部８２ｆよりも後側の部分では前後方向ＬＤに連続的又は間欠的に幅方向中央側の端部のみが対向面に固定されていると好ましい。
【００７６】
折り返し部８２は、サイドフラップ部ＳＦを構成するシートの一部又は全部により形成することができる。ただし、折り返し部８２及び拡幅部８１のシート積層数が多いほど、通気性及び柔軟性が低下するため、折り返し部８２及び拡幅部８１のシート積層数が少ないほど好ましく、また折り返し部８２及び拡幅部８１のシートの素材が柔軟であるほど好ましい。具体的に図示例の場合、外装シート１２は目付け１５〜３０ｇ／ｍ2程度のエアスルー不織布等、柔軟で通気性に優れる素材を用いることができるため、図８に示すように、外装シート１２の幅を他の素材よりも広くし、その側部により折り返し部８２及び拡幅部８１を形成することが望ましい。一方、液不透過性シート１１は硬質な素材の一つであるため、その側縁が折り返し部８２の折り返し位置より幅方向中央側に位置するように幅を狭くし、折り返し部８２及び拡幅部８１に液不透過性シート１１を含まないように構成することが望ましい。また、ギャザーシート６２は液不透過性シート１１と比べれば柔軟性及び通気性に富むものであるが、ある程度の遮水性が要求されるため、外装シート１２と比べれば柔軟性及び通気性に劣るものである。よって、ギャザーシート６２も、液不透過性シート１１と同様、その側縁が折り返し部８２の折り返し位置より幅方向中央側に位置するように幅を狭くし、折り返し部８２及び拡幅部８１にギャザーシート６２を含まないように構成することが望ましい。この場合、通気性及び柔軟性の低下をさらに抑えるために、図１２に示すように、ギャザーシート６２が折り返し部８２の幅方向中央側の端部までしか延びていないのも好ましい。
【００７７】
もちろん、図１３に示す例のように、外装シート１２だけでなく、サイドフラップ部ＳＦを構成するギャザーシート６２の幅も広くし、外装シート１２及びギャザーシート６２を貼り合わせて折り返し部８２及び拡幅部８１を形成することもできる。この場合、拡幅部８１の強度は高いものとなるが、ギャザーシート６２を含まずに折り返し部８２及び拡幅部８１を形成するのと比べれば通気性及び柔軟性は低いものとなる。
【００７８】
連結テープ１３は、拡幅部８１における展開状態で内面となる面に固定することもできるが、連結テープ１３の素材によっては肌触りが悪化するおそれがあるため、図１４に示す例のように、拡幅部８１における展開状態で外面となる面に固定するのも好ましい。図１３に示す例のように、外装シート１２及びギャザーシート６２を貼り合わせて折り返し部８２及び拡幅部８１を形成する場合には、図１５に示す例のように、拡幅部８１における外装シート１２及びギャザーシート６２間に連結テープ１３の端部を挟んで固定することもできる。
【００７９】
図１３に示す例のように、外装シート１２及びギャザーシート６２を貼り合わせて折り返し部８２及び拡幅部８１を形成する場合には、拡幅部８１の強度が高いため、連結テープ１３を拡幅部８１に固定するのに適している。一方、図１４に示す例のように、外装シート１２のみで折り返し部８２及び拡幅部８１を形成する場合には、拡幅部８１の強度が不十分であることにより、連結テープ１３を拡幅部８１に固定すると、使用時に拡幅部８１が塑性変形したり、千切れたりするおそれがある。
【００８０】
しかし、図示例のように、背側部分Ｂにおける両方の連結テープ１３の取付部１３Ｂと重なる部分にわたり、幅方向ＷＤに伸縮するウエスト伸縮シート９０が設けられていると、使用時に力が加わる部分、特に連結テープ１３の取付部１３Ｂの固定対象の強度をウエスト伸縮シート９０により補うことができる。また、連結テープ１３に集中する装着状態での締め付け力や、装着の際の引張力がウエスト伸縮シート９０に直接的に伝わるため、ウエスト伸縮シート９０の伸縮性がより好適に発揮される。
【００８１】
製造に際しては、図１７に示す例のように、サイドフラップ部ＳＦを構成するシート１２，６２の取り付けを終えた後、折り返し部８２及び拡幅部８１となるシート（図示例では外装シート１２）を折り返す前に、折り返し位置ｆｐよりも幅方向ＷＤの中央に、連結テープ１３の取付部１３Ｂを取り付ける。その後、連結テープ１３とともに折り返し部８２及び拡幅部８１となるシートを図中矢印で示すように幅方向中央側かつおむつ内側に折り返し、折り返し部８２となる部分のみ固定部８２ｂで対向面に固定し、拡幅部８１となる部分は対向面に固定しない。図１０に示す例のように、拡幅部８１の連結テープ１３の連結部１３Ａは対向面に着脱可能に仮止めすることができる。また、図１５に示す例のように、連結テープ１３が支持片１３Ｃを有する形態では、折り返し部８２及び拡幅部８１となるシートの折り返しに先立ち、支持片１３Ｃにおける連結部１３Ａより基端側の位置で、これよりも先端側を折り返しておくこともできる。このように製造された製品では、使用に際して連結テープ１３を側方に開くだけで、図１や図１９に示すように、拡幅部８１が側方に展開し、折り返し部８２が展開しないことにより、拡幅部８１がウイング部分ＷＰとなるとともに、ウイング部分ＷＰは拡幅部８１の展開幅が連結テープ１３側に近づくにつれて大きくなる幅変化部８３を有することとなる。
【００８２】
＜明細書中の用語の説明＞
明細書中の以下の用語は、明細書中に特に記載がない限り、以下の意味を有するものである。
・「前後方向ＬＤ（縦方向）」とは腹側（前側）と背側（後側）を結ぶ方向を意味し、「幅方向ＷＤ」とは前後方向と直交する方向（左右方向）を意味し、「厚み方向ＴＤ」とは表面及び裏面と直交する方向を意味する。
・「表側」とは装着時に肌に近い方を意味し、「裏側」とは装着時に肌から遠い方を意味する。
・「展開状態」とは自然長の状態から、収縮や弛みなく完全に完全に平坦に伸ばし広げた状態を意味する。
・「伸長率」は、自然長を１００％としたときの値を意味する。
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置した後常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載のない限り、温度３７度で使用される。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１０倍して１平米あたりの重さを算出し、目付けとする。
・「吸水量」は、ＪＩＳ  Ｋ７２２３−１９９６「高吸水性樹脂の吸水量試験方法」によって測定する。
・「吸水速度」は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
・試験や測定における環境条件についての記載がない場合、その試験や測定は、標準状態（試験場所は、温度２３±１℃、相対湿度５０±２％）の試験室又は装置内で行うものとする。
・各部の寸法は、特に記載がない限り、自然長状態ではなく展開状態における寸法を意味する。
【産業上の利用可能性】
【００８３】
本発明は、上記例のようなテープタイプ使い捨ておむつに利用可能なものである。
【符号の説明】
【００８４】
１０…テープタイプ使い捨ておむつ、１１…液不透過性シート、１２…外装シート、１３…連結テープ、１３Ａ…連結部、１３Ｂ…取付部、１３Ｃ…支持片、１３Ｅ…テープ伸縮領域、１３Ｆ…テープ自由部、２０…ターゲットシート、３０…トップシート、４０…中間シート、５０…吸収要素、５６…吸収体、５８…包装シート、６０…起き上がりギャザー、６２…ギャザーシート、６３…ギャザー弾性部材、７０…サイド弾性部材、８１…拡幅部、８２…折り返し部、９０…ウエスト伸縮シート、９５…中間伸縮領域、９６…非伸縮領域、Ｂ…背側部分、ＭＰ…本体部、ＥＦ…エンドフラップ部、Ｆ…腹側部分、ＬＤ…前後方向、ＳＦ…サイドフラップ部、ＴＤ…厚み方向、ＷＤ…幅方向、ＷＰ…ウイング部分、Ｃ…股間部、８３…幅変化部。
【図１】
2019051244.tif 000003
【図２】
2019051244.tif 000004
【図３】
2019051244.tif 000005
【図４】
2019051244.tif 000006
【図５】
2019051244.tif 000007
【図６】
2019051244.tif 000008
【図７】
2019051244.tif 000009
【図８】
2019051244.tif 000010
【図９】
2019051244.tif 000011
【図１０】
2019051244.tif 000012
【図１１】
2019051244.tif 000013
【図１２】
2019051244.tif 000014
【図１３】
2019051244.tif 000015
【図１４】
2019051244.tif 000016
【図１５】
2019051244.tif 000017
【図１６】
2019051244.tif 000018
【図１７】
2019051244.tif 000019
【図１８】
2019051244.tif 000020
【図１９】
2019051244.tif 000021
【図２０】
2019051244.tif 000022